(57)【特許請求の範囲】
【請求項１】
回路基板上に実装され、ハウジングに支持される支持部、該支持部の一側に位置して前記回路基板に接続される接続部、前記支持部の逆側に位置して頂面側に置かれる被接続体に対して金属板面で弾性接触する接触部とを具える複数のコンタクトを有する基板実装コネクタにおいて、
前記複数のコンタクトの各々の前記接触部は、前記支持部から離れた位置で下方に延びて下に向けて凸形状を成す下向き突部、該下向き突部から延長された前側で再び下に向けて凸形状を形成しつつ頂側に湾曲して延びる湾曲部、及び該湾曲部から後頂側に傾斜して延びて先端近傍に前記被接続体に接触する接触突部を具える腕部を有し、該接触突部は前記下向き突部と前記湾曲部とによって両者間位置に画定される上に向けて湾曲した凸形状を成す部分の頂部を超えた後側位置に設けられることを特徴とする基板実装コネクタ。
【請求項２】
前記ハウジングに、隣接する前記コンタクトの接触部間を仕切る複数の仕切壁を設けたことを特徴とする請求項１記載の基板実装コネクタ。
【請求項３】
前記ハウジングは、前記複数のコンタクトの列に平行に延び、前記支持部を支持する主部と、該主部の両端から前記接触部の両外側に延びる１対の端壁と、該１対の端壁を連結して前記接触部を前記支持部、前記端壁とともに囲む連結部とを具備していることを特徴とする請求項１記載の基板実装コネクタ。
【発明の詳細な説明】
【０００１】
【発明の属する技術分野】
本発明は、回路基板に実装され、その頂面側に置かれる他の回路基板、カード又は電子装置等との電気的相互接続を実現するための基板実装コネクタに関する。
【０００２】
【従来の技術】
この種のコネクタの例が、特開平６−６８９４１号、及び特開平８−１６２２２７号のそれぞれの公報に開示される。開示される基板実装コネクタは、ハウジング及びそれに支持される複数のコンタクトを含む。コンタクトはハウジングに支持される部分と、それに対して一側に延びて回路基板に表面実装される接続部と、カード又は他のコネクタ装置等の被接続体に電気的に接触するための接触部を有する。接触部は、頂側に載置される被接続体に対して弾性接触するための弾性力を提供する部分を含む。
【０００３】
【発明の解決すべき課題】
近年、この種のコネクタには小型化、及び低背化が要求される。上述の公報に開示されるコネクタはある程度の要求を満足できる形状を有するものの、コンタクトの接触部に十分なばね弾性力が得られず、更なる小型化、低背化の要求（１ｍｍ以下、例えば０．８ｍｍ程度の嵌合高さ）には対応できない。本発明は、そのような要求を満足できる基板実装コネクタを提供するものであり、特に小型で低背ながら十分な弾性力による安定した弾性接触を実現することのできるコネクタを提供することを目的とする。
【０００４】
【課題を解決するための手段】
本発明は、回路基板上に実装され、ハウジングに支持される支持部、該支持部の一側に位置して前記回路基板に接続される接続部、前記支持部の逆側に位置して頂面側に置かれる被接続体に対して金属板面で弾性接触する接触部とを具える複数のコンタクトを有する基板実装コネクタにおいて、前記複数のコンタクトの各々の前記接触部は、前記支持部から離れた位置で下方に延びて下に向けて凸形状を成す下向き突部、該下向き突部から延長された前側で再び下に向けて凸形状を形成しつつ頂側に湾曲して延びる湾曲部、及び該湾曲部から後頂側に傾斜して延びて先端近傍に前記被接続体に接触する接触突部を具える腕部を有し、該接触突部は前記下向き突部と前記湾曲部とによって両者間位置に画定される上に向けて湾曲した凸形状を成す部分の頂部を超えた後側位置に設けられることを特徴とする。
【０００５】
好ましくは、前記コンタクトは前記支持部と前記湾曲部との間の少なくとも一部に狭幅のくびれ部を有する。
【０００６】
好ましくは、該くびれ部は前記下向き突部を含む。
【０００７】
好ましくは、前記支持部は前記ハウジングにインサートモールドされて支持される。
【０００８】
好ましくは、前記湾曲部と前記腕部との間には比較的急に曲げられる変曲部が設けられる。
【０００９】
好ましくは、前記ハウジングは前記複数のコンタクトの前記接触部の列の両外側に、該接触部を保護するための保護用端壁を備え、該保護用端壁の底側中間部には凹部が形成される。
【００１０】
又、前記ハウジングには、隣接する前記コンタクトの接触部間を仕切る複数の仕切壁を設けとよい。
【００１１】
更に、前記ハウジングが、前記複数のコンタクトの列に平行に延び、前記支持部を支持する主部と、該主部の両端から前記接触部の両外側に延びる１対の端壁と、該１対の端壁を連結して前記接触部を前記支持部、前記端壁とともに囲む連結部とを具備していると効果的である。
【００１２】
【発明の実施の形態】
以下に添付図面を参照して本発明の好適実施形態となる基板実装コネクタについて説明する。
【００１３】
図１は、本発明による基板実装型コネクタの一実施形態を示す図であり、（ａ）は正面図、（ｂ）は底面図、及び（ｃ）は側面図である。図２は、図１（ｂ）中の線Ａ−Ａに沿う断面図である。
【００１４】
図１及び図２によれば、基板実装コネクタ１０は、絶縁性のハウジング２０及びそれに支持される複数のコンタクト３０を含む。ハウジング２０は概略コ字形状を成し、コンタクト３０の列に平行に延びる主部２１、及びその両端から一側の延びる端壁２２を有する。端壁２２は複数のコンタクト３０の両外側に位置する。端壁２２の底面の中間位置には凹部２４が設けられる。コンタクト３０は主部２１内でハウジング２０にインサートモールドされて支持固定されている。主部２１の底面の両端近傍位置には、基板実装コネクタ１０が図示しない回路基板に置かれるときにそれを位置合わせするための位置決めポスト２３ａ、２３ｂが形成される。
【００１５】
図２によれば、コンタクト３０は、主部２１内に位置する略Ｌ字形状の支持部３１、支持部３１から前側へ延びてハウジング２０の主部２１の高さ方向途中位置から延出する接触部３２、及び主部２１の底面に沿って後側に延びる表面実装型接続部３３を有する。接触部３２は特徴的な形状を有するがその詳細は後述する。上述したハウジング２０の端壁２２は図示されるように接触部３２に略一致する長さを有し、基板実装コネクタ１０が回路基板に実装されるまでの間、接触部３２を簡略的に保護するよう作用する。また端壁２２は、回路基板への実装が成された後は、先端近傍で回路基板に当接してハウジング２０の姿勢を維持すべく作用する。
【００１６】
図３はコンタクトをキャリアストリップと共に示す図で、（ａ）は平面図、及び（ｂ）は正面図である。図４はコンタクトの接触部を示す部分底面図である。
【００１７】
図３によれば、コンタクト３０はキャリアストリップ６０に対して所定ピッチに離間して形成され、この状態でインサートモールドされて図１及び図２に示す基板実装コネクタ１０が実現される。各コンタクト３０の支持部３１と接触部３２との境界位置に両端縁に沿って肩３５が形成される。肩３５はハウジング２０がインサートモールドにより成形されたときその外面に略接して置かれ、コンタクト３０の支持をより安定化し、その位置を正確に維持すべく作用する。
【００１８】
接触部３２は、支持部３１から離れた位置から下方に延びて下に向けて湾曲した凸形状を成す下向き突部５１、下向き突部５１から延長された前側で下に向けて湾曲した凸形状を形成しつつ頂側に湾曲して延びる湾曲部５２、湾曲部５２から後頂側に傾斜して延びる腕部５３を有する。腕部５３の先端近傍には被接続体に接触するための接触突部５４が設けられる。腕部５３は湾曲部５２から比較的急峻に立ち上がる形状を成し、これにより変曲部５５が画定される。腕部５３の先端側は二股形状を成し、よって接触突部５４は各コンタクト３０に対して２つずつ設けられる。接触突部５４は、下向き突部５１と湾曲部５２によって両者間に画定される上に向けて湾曲した凸形状を成す部分５６の頂部５６ａを超えて後側で、下向き突部５１より若干前側に位置するよう構成される。
【００１９】
更に図４に示すように、支持部３１と接触部３２の湾曲部５２との間の下向き突部５１を含む部分にくびれ部５７が形成される。くびれ部５７の最狭部５８は下向き突部５１よりも若干前側に位置する。
【００２０】
本実施形態によるコンタクト３０の接触部３２は、その配置によって占められる空間が比較的小さいにもかかわらず、被接続体との安定した接続を実現するための十分な弾性力を提供できる。被接続体がこの基板実装コネクタ１０の頂面側に載置されるときに接触突部５４をその被接続体へと押し付ける付勢力は、上述の如き特徴的な形状を有する接触部３２の略全体から得られるばね弾性力によって提供される。特に被接続体が載置されるとき、接触部３２には通常のばね反発力に加えて湾曲部５２をわずかに頂側へと移動させるような回転方向の力が作用する点に注目すべきである。従ってコネクタ１０は、実装面積が最小とされ且つ比較的低背とされながら信頼性の高い電気接続を提供できる。
【００２１】
本発明による基板実装コネクタの他の実施形態を図５乃至図１０を参照して説明する。図５は本発明による基板実装コネクタの他の実施形態の斜視図、図６は図５の基板実装コネクタの平面図、図７は図５の基板実装コネクタの正面図、図８は図５の基板実装コネクタの底面図、図９は図５の基板実装コネクタの右側面図、図１０は図７の１０−１０線に沿った拡大断面図である。
【００２２】
図５乃至図１０によれば、基板実装コネクタ１１０は、図１乃至図４に示す基板実装コネクタ１０と同様に、絶縁性のハウジング１２０及びそれに支持される複数のコンタクト１３０を含む。
【００２３】
ここで、コンタクト１３０は、図１乃至図４に示す基板実装コネクタ１０のコンタクト３０と同一の構成を有し、ハウジング１２０の主部１２１内に位置する略Ｌ字形状の支持部１３１、支持部１３１から前側へ延びてハウジング１２０の主部１２１の高さ方向途中位置から延出する接触部１３２、及び主部１２１の底面に沿って後側に延びる表面実装型接続部１３３を有する。コンタクト１３０は、コンタクト３０と同一の構成を有し、支持部１３１、接触部１３２、及び接続部１３３の構成及び作用は、支持部３１、接触部３２、及び接続部３３の構成及び作用と同一であるので、それらの説明は省略する。
【００２４】
ハウジング１２０は、絶縁性の樹脂を成形することによって形成され、図１乃至図４に示すハウジング２０と同様にコンタクト１３０の列に平行に延び、コンタクト１３０の支持部１３１を支持する主部１２１、及びその両端からコンタクト１３０の接触部１３２の両外側に延び、接触部１３２を保護する１対の端壁１２２を有する。しかし、ハウジング１２０は、ハウジング２０と異なり、更に、１対の端壁１２２を連結して主部１２１、端壁１２２とともに接触部１３２を囲む連結部１２３を有する。この連結部１２３が存在するので、コンタクト１３０の接触部１３２の保護がより確実になされると共にハウジング１２０自体の強度も向上することになる。又、ハウジング１２０には、隣接するコンタクト１３０の接触部１３２間を仕切る複数の仕切壁１２６が設けられている。この仕切壁１２６によって隣接するコンタクト１３０の接触部１３２同士の干渉、接触が回避される。本実施形態において、仕切壁１２６は、主部１２１と連結部１２３とを連結するように設けられているが、隣接するコンタクト１３０の接触部１３２同士の干渉、接触を回避できれば、主部１２１と連結部１２３とを連結する必要はない。更に、ハウジング１２０の主部１２１の底面であって、各コンタクト１３０の接続部１３３の周囲には、接続部１３３を取囲むように凹部１２７が設けられている。この凹部１２７には、接続部１３３を回路基板（図示せず）上に半田接続する際に、半田フィレットが形成される。なお、図５乃至図１０において、符号１２４は端壁１２２に形成された凹部、符号１２５は基板実装コネクタ１１０を回路基板に置くときにそれを位置合わせするための位置決めポストである。
【００２５】
以上の如く本発明の好適実施形態となる基板実装コネクタが説明されたが、これはあくまでも例示的なものであり、当業者によって更に様々な変形変更が可能である。
【００２６】
【発明の効果】
本発明の基板実装コネクタによれば、複数のコンタクトの各々の接触部は、支持部から離れた位置で下方に延びて凸形状を成す下向き突部、下向き突部から延長された前側で再び下に向けて凸形状を形成しつつ頂側に向けて湾曲して延びる湾曲部、及び湾曲部から後頂側に傾斜して延びて先端近傍に被接続体に接触する接触突部を具える腕部を有し、接触突部は下向き突部と前記湾曲部とによって両者間に画定される上に向けて湾曲した凸形状を成す部分の頂点を超えた後側位置に設けられることを特徴とするので、比較的低背ながら被接続体との安定した電気的接続が提供される。
【００２７】
又、前記ハウジングに、隣接する前記コンタクトの接触部間を仕切る複数の仕切壁を設けたので、この仕切壁によって隣接するコンタクトの接触部同士の干渉、接触を回避することができる。
【００２８】
更に、前記ハウジングは、前記複数のコンタクトの列に平行に延び、前記支持部を支持する主部と、該主部の両端から前記接触部の両外側に延びる１対の端壁と、該１対の端壁を連結して前記接触部を前記支持部、前記端壁とともに囲む連結部とを具備しているので、コンタクトの接触部の保護がより確実になされると共にハウジング自体の強度も向上することになる。
【図面の簡単な説明】
【図１】本発明による基板実装型コネクタの一実施形態を示す図であり、（ａ）は正面図、（ｂ）は底面図、及び（ｃ）は側面図。
【図２】図１（ｂ）中の線Ａ−Ａに沿う断面図。
【図３】コンタクトをキャリアストリップと共に示す図で、（ａ）は平面図、及び（ｂ）は正面図。
【図４】コンタクトの接触部を示す部分底面図。
【図５】本発明による基板実装コネクタの他の実施形態の斜視図である。
【図６】図５の基板実装コネクタの平面図である。
【図７】図５の基板実装コネクタの正面図である。
【図８】図５の基板実装コネクタの底面図である。
【図９】図５の基板実装コネクタの右側面図である。
【図１０】図７の１０−１０線に沿った拡大断面図である。
【符号の説明】
１０    基板実装コネクタ
２０    ハウジング
３０    コンタクト
３１    支持部
３２    接触部
３３    接続部
５１    下向き突部
５２    湾曲部
５３    腕部
５４    接触突部
５６    凸形状を成す部分
５６ａ  頂部
【図１】
0003687886.tif 000002
【図２】
0003687886.tif 000003
【図３】
0003687886.tif 000004
【図４】
0003687886.tif 000005
【図５】
0003687886.tif 000006
【図６】
0003687886.tif 000007
【図７】
0003687886.tif 000008
【図８】
0003687886.tif 000009
【図９】
0003687886.tif 000010
【図１０】
0003687886.tif 000011